(57)【要約】【課題】浮上型のヘッドをディスク記録媒体の平面に平行方向扇状に移動させる方式で、高速アクセス、高密度記録に対応する機能を備えた、コンパクトな記録再生装置を提供する。【解決手段】記録再生装置において、スイング・アーム部材の扇状スイング可能なアーム先端に、スライダーとヘッドとを配置固定し、ヘッドには固体浸漬レンズを用い、スイング・アーム部材の回転軸支点からアームに沿って光ビームを流す。【選択図】図７
2004158189.tif 000002
【特許請求の範囲】
【請求項１】
レンズを少なくとも備えたヘッドを具備し、前記レンズはレーザー光透過部を形成した浮上ヘッドスライダーからなるヘッド部に積載された記録再生装置において、
前記ヘッド部は磁気コイルを具備しており、
前記磁気コイルが前記レンズの出射光面側に設けられていることを特徴とする録再生装置。
【請求項２】
前記磁気コイルがフイルム状のコイルであることを特徴とする請求項1記載の記録再生装置。
【請求項３】
前記レンズが、固体イマージョンレンズであることを特徴とする請求項１記載の記録再生装置。
【請求項４】
前記レンズの少なくともー部がレーザ光を透過する磁性材料で構成されていることを特徴とする請求項１記載の記録再生装置。
【請求項５】
前記ヘッド部とアーム部とディスク記録媒体の信号検出系装置とからなるスイングアーム部を備え、前記記録再生装置に載置されるディスク記録媒体の外周近傍にスイング駆動軸が配置されていることを特徴とする請求項１記載の記録再生装置。
【請求項６】
前記ヘッド部が前記スイング駆動軸に支点を有する天秤状のスイングアームのディスク記録媒体側先端に設置固定されており、前記天秤状のスイングアームのもう一方の端には、ディスク記録媒体の信号検出系装置が載置固定されていることを特徴とする請求項１記載の記録再生装置。
【請求項７】
前記ディスク記録媒体に埋めこまれたプリピットによりトラッキング信号の検出を行なうことを特徴とする請求項１記載の記録再生装置。
【発明の詳細な説明】
【技術分野】
【０００１】
本発明は、光磁気ヘッドなどのヘッド及びそれを用いた光磁気記録再生装置などの記録再生装置に関し、より詳細には記録媒体上に照射されるレーザ光のスポット径の回折限界を小さくする光磁気ヘッド、及び該光磁気ヘッドを用いて高密度記録が可能な記録再生装置に関する。
【背景技術】
【０００２】
近年、マルチメディア化に対応して大量データを、高密度で記録し、迅速に記録再生ができる光磁気記録媒体が注目されている。例えば、オーバーライト可能な光磁気記録媒体への記録は、光磁気記録媒体にレーザ光を照射し、レーザ光の照射位置に対して入力情報に応じた磁界を印加して行われる。上記光磁気記録媒体の再生時には記録時よりも弱いレーザ光を光磁気記録に照射し、このレーザ光の戻り光が有する記録磁化方向に依存する反射光の偏光角を検出することにより情報が再生される。
【０００３】
このような光磁気記録再生装置に用いられるヘッド機構は、従来は図１に記載するように光ヘッド２、及び磁気ヘッド３の各々が、各々の中心線上に互いに対向してディスク記録媒体の両側に配置して用いられる。この場合、光ヘッド２、及び磁気ヘッド３の各々は形、及び重量が大きいので、各ヘッド２、３は支持体７に支えられて、駆動モーター６によるスクリュウ回転軸４の回転によって、ディスク記録媒体１上を移動して情報の記録再生消去が行われる。この方式は記録再生装置の立体が大きく、且つ重量が大きくなり、ディスク記録媒体、及び記録再生装置に求められている小形、軽量、大容量化、記録再生消去アクセスの高速化等に応えることができない欠点がある。一方、光ヘッド２、及び磁気ヘッド３を一体化して、記録再生装置の小形化に応えようとする技術として、図２に示す光磁気ヘッド機構２０が知られている。これは光学ヘッド系１２の対物レンズ１０の駆動装置１３と、磁気ヘッドコイル２１が配置される磁気ヘッド・スライダー１４とを一体に組み合わせ、磁気ヘッド・スライダー１４に光ヘッドから照射するレーザビーム１１の収束光３２の透過穴４３を形成した構成である。この種の光磁気ヘッド用いる記録再生装置では、立体容積がかなり小さくはなるが、記録再生装置に求められている小形、軽量、大容量化、記録再生消去アクセスの高速化等に応えるには十分でない。
【０００４】
これに対して、ヘッドをアームの先端に取り付け固定して、アームの支点をディスク記録媒体の近傍に設定して、このアームをディスク記録媒体面に平行にスイングさせることによって、ディスク記録媒体の情報の記録再生消去を行う方式が知られている。光ヘッドをスイング・アームで、或いはリニア・モーターでディスク記録媒体面に平行に移動させる駆動方式は、特開平５−５４４５７に提案されている。光ヘッドをスイング・ア−ムで駆動させる方式は特開平８−７３０９、特開平３−２０３８４８、に提案されている。また、磁気ヘッドにレーザ光反射面を形成した構成については特開平３−２８０２３３に提案されている。この方式の問題は記録再生装置に求められている小形、軽量に最適な特長が得られていないことである。光磁気記録媒体の小形化、高記録密度化の著しい要求に応えることのできる記録再生ドライブ装置として、一層のコンパクト化、軽量化、情報の記録再生消去アクセスの高速度化等の問題がある。また現在公知のスイング・アーム方式で光ヘッド、及び光磁気ヘッドを駆動させると、回転ディスク記録媒体と衝突して、ヘッド・クラッシュを生じてヘッド破壊、ディスク記録媒体の破壊を生ずる問題がある。
【発明の開示】
【発明が解決しようとする課題】
【０００５】
ところで、記録再生ドライブの課題としては、装置の容積が小さく、できるだけコンパクなものであること、記録再生消去のアクセスが高度に迅速であること、記録媒体のこれまでより高度に微細な情報信号ピット、磁区、或いはドメイン信号が読み取れ、記録でき、消去できる記録再生消去ヘッド機能を備えていること、および、そのヘッド部が軽量であり、その結果、記録再生ドライブ全体の重さが軽量になること等である。これらの必要性は光磁気ディスク等の記録媒体が、径が小さく、軽量で、高密度記録ができる高記録容量で、且つ高速度の記録再生消去のできる機能のものが要求されており、開発が進行しているからである。記録再生ドライブ装置の容積を低減化の際に重要なことは、記録再生ドライブ装置の厚みを小さくすることである。この課題のためには、光磁気ディスクにアクセスする記録再生ヘッドの可動方向が、光磁気ディスクの記録平面に平行な動きを主にして、光磁気ディスクの記録平面に垂直方向の動き、或いは容積をできるだけ小さくすることである。さらに、記録再生ヘッドのアクセスを一層迅速にするために、アクセス、移動の動きの軽快なヘッド機構を使う必要があり、且つ記録再生ヘッドと光磁気ディスクとの衝突等でヘッド・クラッシュが起こらないように制御ができることである。
【課題を解決するための手段】
【０００６】
本発明は高記録密度のディスク状情報記録媒体に、高容量の情報を、高速度で記録再生消去が行える、記録再生ドライブ装置であって、スイング・アームの先端に光ヘッド、或るいは光ヘッドと磁気ヘッドを一体に組み合わせた光磁気ヘッドを取り付けられ、固定される、スイング・アーム・ヘッドを装備するもので、特にアームの先端に設置固定されるヘッド部は対物レンズ駆動装置と、対物レンズの中心線を中心とするレーザ・ビーム透過部を形成されたヘッドスライダーと、磁気コイルから構成され、ヘッド部の対物レンズの中心線が中心となる、上記レーザ・ビーム透過部に固体イマージング・レンズを設置固定して用いたものに関するものである。固体イマージング・レンズを設置固定して用いることによって、記録媒体記録層の極めて微細な情報信号ピット素子、情報磁区信号、情報ドメイン信号等を読み取り、書き込み、消去等が行える効果が得られる。
【０００７】
本発明のスイング・アーム・ヘッドは記録再生ドライブ装置装着されるディスク記録媒体の外周近傍の支点に取り付けられており、スイング・アーム・ヘッドはこの支点を中心に、ディスク記録媒体の記録面に平行に、扇形状に移動しながら、ディスク記録媒体に情報の記録再生消去を行う機能がある。
【０００８】
本発明のスイング・アーム・光ヘッド、或いはスイング・アーム・光磁気ヘッドは、小形の高記録密度のディスク記録媒体に、極く微細な「レーザ・ビーム・スポット」単位信号の照射、或いは極く微細な「磁界」単位信号を加えて、超微細な「ピット」の単位信号、超微細な「磁区、或いはドメイン」の単位信号等の高密度情報信号を、記録再生消去の情報処理を、高速度で行える機能を有するヘッド機構である。本発明の記録再生装置においては、少なくともヘッド部とスイング・アーム部と光ビーム・スプリッターからなるスイング・アームを備えると共に、ヘッド部は記録再生装置に載置の記録媒体の外周近傍に、スイング駆動軸が配置されるアームの先端に設置固定され、該ヘッド部は対物レンズ駆動装置と、対物レンズの中心線を中心とするレーザ・ビーム透過部形成体とから構成される。該ヘッド部のレーザ・ビーム透過部形成体は、ヘッド浮上機能を備えるヘッドスライダーから構成されてもよい。本発明の記録再生装置に用いる記録媒体は光記録媒体、光磁気記録媒体、光ビーム・トラッキングを行う磁気記録媒体等の記録媒体であり、特に、光ディスク記録媒体、光磁気ディスク記録媒体、光ビーム・トラッキングを行う磁気ディスク記録媒体等に好適である。本発明の記録再生装置の内、光磁気記録再生装置においては、少なくともヘッド部とスライダーとスイング・アーム部と光ビーム・スプリッターからなるスイング・アームを備えると共に、ヘッド部は光磁気記録再生装置に載置の光磁気ディスクの外周近傍に、スイング駆動軸が配置される。さらに、本発明の記録再生装置において、少なくともヘッド部とスライダーとスイング・アーム部と光ビーム・スプリッターからなるスイング・アームを備えると共に、該ヘッド部が、記録再生装置に載置されるディスク記録媒体の外周近傍にスイング駆動軸が配置されると共に、該スイング駆動軸に支点を有する天秤状のスイングアームのディスク記録媒体側先端に設置固定されており、該天秤状のスイング・アームのもう一方の端には、ディスク記録媒体の信号検出系装置が載置固定されていてもよい。
【０００９】
本発明のスイング・アーム・ヘッドは記録再生ドライブ装置に装着されるディスク記録媒体の外周近傍の支点に取り付けられた、アーム・ヘッド全体が、或いはスイング・アームのヘッドだけがスイング・アーム上を、支点からディスク記録媒体の、ほぼ径方向へ、ディスク記録媒体の記録面に平行に、直線的に移動しながら、ディスク記録媒体に情報の記録再生消去を行う機能があるものでもよい。このヘッドの直線的に移動する駆動手段には、リニア・モーターが使用される。
【００１０】
本発明のスイング・アーム、或いはアームに取り付けられるヘッド体は、ディスク記録媒体の回転に伴って、対流する大気の負圧、及び正圧を発生させて、ヘッド体を浮上させる機能を有し、光ビームスポット光を透過する部分を形成したヘッド・スライダー、磁気コイル或いはフイルム状磁気コイル、対物レンズ駆動装置、レーザー光反射ミラー等から構成される。上記ヘッド・スライダーの光ビームスポット光を透過する部分は、空洞の穴でも、透明なセラミック、或いは透明樹脂を形成してもよいが、この光ビームスポット光透過部分の近傍には、半球状透明レンズ、或いは固体イマージョン・レンズ、配置固定して使用することができる。
【００１１】
本発明のスイング・アーム、或いはアームに取り付けられるヘッド体は、光ヘッドからのビーム照射によって、ディスク記録媒体の情報記録エリアについての、トラッキング、及び情報信号の記録再生消去を行うだけではなく、スイング・アーム、の浮上量、及び情報信号の記録再生消去に必要なフォーカシング等について制御を行う機能があり、特に対物レンズ駆動装置の制御駆動を行い、スイング・アーム・ヘッドのクラッシュ防止のための制御を行う。
【００１２】
本発明のスイング・アームに取り付けて用いる光磁気ヘッドは、記録光を記録媒体上に集光するための光学素子として固体イマージヨンレンズを用いる。光学素子は屈折率が１よりも大きい材料で構成されている。図１２にかかる光学素子１０１の例を示す。図１２は光学素子１０１の結像原理を説明する概念図である。記録媒体１０３に照射されるレーザ光のスポット径をより小さなスポット径にして記録密度の向上を図るための条件を説明する。一般に、スポット径 Sは下記式(1)により定義される。
（数１）
S=λ/(2NA)=λ/(2n・sinθmax)      (1)
【００１３】
ここで、光学素子１０１に入射するしーザ光の波長をλ、光学素子１０１の開口数をNA光学素子１０１の屈折率をn、入射光束の最も外側の光被(図１２の実線)と光軸とのなす角(入射角)をθmaxとしている。レーサ光の波長λをー定とした場合、スポット律Ｓを小さくするには上式(1)からNAを大きくすればよいことがわかる。NAはNA=nsin θmaxで定義されるので、大きなNAを得るには屈折率ｎと角θmaxを大きくしなければならない。そこで、光学素子１０１に高い屈折率の材料を用いると、光学素子１０１の内側で入射光の波長が短くなる。また、入射光を光学素子１０１の表面で屈折させ且つ光学素子１０１内で集光させると、光軸と入射光のなす角θmaxを光学素子１０１への入射前より光学素子１０１内で大きくできる。
【００１４】
光学素子１０１は半径rの球のー部を切断して形成された半球型レンズである。光学素子１０１の切断面、すなわち、光学素子１０１の出射面１０１aは入射光の光軸に対して垂直に切断される。光学素子１０１の切断位置は球の中心からr/nにある。光学素子１０１が搭載された光磁気ヘッドを浮上させた際に光学素子１０１の出射面１０１aは記録媒体１０３の表面１０３aとが平行になるようにする。図１２の実線が示す入射光を光学素子１０１の球面レンズの断面で屈折させ、入射光を出射面１０１a上の点に向かって収束させるとき、光学素子１０１はエバネッセント場（空気のギャップ）を介して光学素子１０１の出射面１０１a側に配した記録媒体3上にスポットが照射される。従って、光学素子１０１と記録媒体１０３との距離はエバネッセント光の減衰距離内にしなければならない。光学素子１０１は実線で示す光学素子１０１内の入射光を延長した破線の交わる位置 (記録媒体１０３の表面１０３a上)に結像する。光学素子１０１は、前述したように光学素子１０１内での入射光の波長λの短波長化及び光学素子１０１の球面での屈折による角θmaxの増加によって n の２乗倍までNAを増加させることができる。換言すれば、理論的にはレーザ光のスポット径が 1/ n2まで小さくできる。これにより、光学素子１０１は記録媒体１０３上に形成されるスポットを真空中で得られる最小スポットよりも小さくしている。
【００１５】
本発明の光磁気ヘッドにおいてスライダ内に磁気コイルが内蔵されることにより従来に比べてー層小型化することができる。また、磁気コイルが光学素子１０１の外周に配されることにより記録媒体と磁気コイルとの間隔を狭め、磁界を印加する際に磁気コイルに流す電流が小さくて済むようになり、照射されるしーザ光の光路を遮らないので、効率よく記録媒体上にレーザ光を照射することができる。磁気コイルが光学素子１０１の出射光面より記録媒体に近い位置に設けられることにより磁気コイルと記録媒体との間隔が近づくことになり、このように構成した光磁気ヘッドを用いた記録再生装置の消費電力を抑えることができる。磁気コイルはフイルム状のコイルを用いることが望ましい。磁気コイルをフィルム状のコイルで構成することにより、記録媒体と磁気コイルとの間隔を狭くすることができる。さらに、磁気コイルが磁気コイルの内径を光学素子１０１の外径よりも小さくすることにより記録媒体へのより安定な外部磁界の印加が可能になる。
【００１６】
磁芯には光を透過する磁性体材料を用いることが好ましい。これにより、記録媒体に向けて照射されるレーザ光の光路が遮られないので、効率よく記録媒体上にレーザ光を照射することができる。この磁性材料としては例えば、透明フェライト等がある。本発明の光磁気ヘッドにおいて光学素子の少なくともー部がレーザ光を透過する磁性材料で構成されていることが好ましい。かかる構成を採用することにより光磁気ヘッドに使用する部品点数を少なくして光磁気ヘッドを小型化させることができる。さらにレーザ光を透過する磁性材料を光学素子のレーザ光の出射面に直交する中心近傍だけに配することもでき、これによって外部磁界の位置決め精度を向上させることができる。
【発明の効果】
【００１７】
本発明によれば、スイング・アーム光磁気ヘッドを用いる光磁気記録再生ドライブ装置では、光磁気ヘッドの移動、走査、アクセスが、光磁気ディスク面に平行な、厚みの狭い空間で動作するので、光磁気記録再生ドライブ装置を、厚みの薄いコンパクトなものにすることができる。従って、光磁気ディスクの径の縮小化に応じて光磁気記録再生装置の縮小化が図れる効果が得られる。また、スイング・アーム光磁気ヘッドは、小幅な扇状移動でアクセスできるので、アームのスイング角速度で加速制御するために、アクセスの迅速さを一層向上できる。さらに、固体イマージョン・レンズを光磁気ヘッドに用いることによって、ディスク記録媒体に、これまでより高度に微細な情報ピット、磁区、或いはドメイン等の信号で高密度に記録すること、及び記録した信号を読み出すこと、消去することが可能になる効果も得られる。さらに、フイルム状磁気コイルを使用することによって、光磁気ヘッド部が軽量になり、軽量なスイング・アームの使用で、記録再生ドライブ装置全体の重さが軽量になる。さらに、光磁気ヘッド部にヘッド浮上用スライダーを使用するので、ヘッド部と光磁気ディスクとの衝突等を回避することができ、ヘッド・クラッシュが防止される効果が得られる。
【００１８】
なお本発明は、単に光磁気ヘッド、光磁気記録ディスクのみならず、他の種々の情報記録媒体、例えば再生専用ディスク、相変化ディスク、追記型ディスクなどの情報記録媒体およびこれに用いられるヘッド一般、これらを利用する記録再生装置にも適用可能であることはいうまでもない。
【発明を実施するための最良の形態】
【００１９】
本発明の記録再生装置の実施の形態及び実施例を図面を参照しながら説明する。
【実施例１】
【００２０】
図３に、情報の記録再生装置のヘッドとして、スイング・アーム５６の先端にサスペンション５５を介して浮上型光磁気ヘッド５３を設置固定したものを使用した、本発明の第１の実施例を示す。スイング・アーム５６の回転の支点５２はデイスク記録媒体５１の外周近傍に設置され、そこを中心にデイスク記録媒体５１の半径方向の記録エリア（a)、(b)、(c)を移動し、記録領域全体の情報処理アクセスを行う。サスペンション５５は光磁気ヘッド部５３に取り付けられているスライダーの浮上機能に対応して、光磁気ヘッド部５３の定位置を安定に維持する。情報信号等のレーザー・ビームの光源は、記録再生装置に固定されており、スイング・アーム５６の回転軸５２付近に設置されるレーザー・ビームのビーム・スプリッター（記載しない）を経て、レーザー・ビーム窓口５４から光磁気ヘッド部５３へ送られる。図４に光磁気ヘッド部５３のレーザー・ビームの照射経路に関する光学系を示す。記録再生装置に固定される光学系はＰ１である。これに対して可動光学系Ｐ２のミラー２、対物レンズ７１、固体イマージョン・レンズ７２等は、スイング・アーム５６上に設置され、ミラー１はスイング・アーム５６の回転軸５２部に設置される。光磁気ディスク５１には、記録層の記録領域トラック並びのトラックピット信号は、サンプルサーボ方式で、ウオブル状に配列形成される、ウオブルピット信号からなるトラックの、光磁気ディスク５１を、上記光磁気記録再生装置の回転駆動軸のスピンドルに装着して用いた。
【実施例２】
【００２１】
（実施例１）の図４に記載した光学系の内、光磁気ヘッド部５３に配置される構成部品が、対物レンズ駆動装置、対物レンズの中心線を中心とするレーザビームを透過する空口を有するヘッド浮上用スライダー、及び環状コイルを有する薄膜磁気コイルを用いる磁気ヘッド等からなり、ヘッド浮上用スライダーのレーザビーム透過用空口の中心が、対物レンズの中心線の延長上に配置される構成の光磁気ヘッドを、スイング・アーム５６上に配置固定して、スイング・アーム光磁気ヘッドとして用いる。その他は、（実施例１）と同じである。
【実施例３】
【００２２】
（実施例１）の図４に記載した光学系の内、スイング・アーム５６上に設置される光磁気ヘッド部５３の可動光学系の中の固体イマージョン・レンズ７２には、固体イマージョン・レンズ７２の光磁気ディスク５１側面を、化合物，ＴｉＮ（窒化チタン），ＳｉＮ（窒化シリコン），ＳｉＯ２（酸化シリコン）等から選択して、少なくとも一種の化合物の膜層で、或いは、これらの化合物複数の組み合わせ膜層で被覆コーテングして用た。上記化合物の膜層の他にアモルファスカーボン、ＤＬＣ（ダイヤモンド・ライク・カーボン）の高硬質の結晶状炭素皮膜層をスパッタにより被覆コーテングしたものについても実施した。
【実施例４】
【００２３】
前記（実施例１）の光磁気ディスク５１の記録層に形成される、プリピット信号には図９に示す構成のものを実施する。サンプルサーボ方式で、トラックピット信号６、１１はウオブルピットに配列され、クロックピット３、サーボ信号アクセスマーク１６Ｔｒは図９に示すように形成される。
【実施例５】
【００２４】
図５は光磁気ヘッドのレーザー・ビームに関する光学系を全てスイング・アームに取り付ける構造のスイング・アーム光磁気ヘッドを装備するディスク記録媒体の記録再生ドライブ装置の実施例である。図６はその光学系全体のブロック図である。本実施例は固定光学系Ｐ１（図４参照）を光学系１と光学系２に分離して、レーザー光源５７、コリメーター・レンズ５８、プリズム５９を含む光学系１の部分は記録再生ドライブ装置に固定し、信号検出器６８a、６８b、６８c、６８dを含む光学系２の部分と、ビーム・スプリッター６０、ミラー６９、対物レンズ７１、及び個体イマージョン・レンズ７２の系統の光学系３の部分とを、スイング・アーム光磁気ヘッドのアームに取り付けた構造のものである。光学系をこのような配置に取り付けた、スイング・アーム光磁気ヘッドを上から見た平面図を図５に示す。スイング・アーム上の光磁気ヘッド５３ｂは光磁気記録ディスク５１の記録面を軌跡７５のように移動しながら、情報の記録、再生、消去をアクセスする。このスイング・アームは回転軸５２を中心にアーム５６とアーム７３との連続体であり、レーザ光源からのビームは光経路室７４を通って、回転軸５２に取り付けられたビーム・スプリッター６０によって光磁気ヘッド５３へ進み、光磁気記録ディスク５１でアクセス後の反射光は、アーム７３に設置固定された光学系２の検出器に受光される。スイング・アーム上の光学系２を配置されたアーム７３と光学系３を配置されたアーム５６の部分とは回転軸５２を中心に重さがバランスするように構成される。
【実施例６】
【００２５】
（実施例５）の図５に記載した光学系の内、光磁気ヘッド部５３bに配置される構成部品が、対物レンズ駆動装置、対物レンズの中心線を中心とするレーザビームを受ける固体イマージョン・レンズ７２を有するヘッド浮上用スライダー、及び環状コイルを有する薄膜磁気コイルを用いる磁気ヘッド等からなり、ヘッド浮上用スライダーの位置が、対物レンズの中心線の延長上に中心線を持つ個体イマージョン・レンズ７２が配置されるような配置の光磁気ヘッドを、スイング・アーム５６上に配置固定して、スイング・アーム光磁気ヘッドとして用いる。その他は、（実施例５）と同じである。
【実施例７】
【００２６】
（実施例５）のスイング・アームの光磁気ディスク側とは反対側のアーム７３部分に設置固定される光学系についての実施例を、図７に示す。アーム部分７３側には、図６に示した光源を含む光学系１、及び記録媒体からの信号を検出する、検出器を含む光学系２の両方をスイング・アームのアーム７３部分に設置固定する。またスイング・アームのアーム５６部分に設置固定される光磁気ヘッド部５３ｂと、アーム７３部分の光学系１、光学系２との間の送信、返信レーザ・ビームの方向、及び光磁気ヘッド部５３ｂのスイング・アームの駆動軸５２の回転を制御するための磁石８０とコイル８１をスイング・アームのアーム７３部分に取り付ける。光磁気ヘッド部５３ｂについてのレーザ・ビームの送信、返信はアーム回転軸５２に設置される６０ビーム・スプリッター１によって仕分けされる。その他は、（実施例５）と同じである。
【実施例８】
【００２７】
（実施例５）に用いる光磁気ディスク５１に記録されるプリピット信号は、図８の光磁気ディスク５１上に示す、プリピット領域７８の様式に形成される。プリピットのフォマットパターンは、図９に示すようであり、（実施例４）と同じである。その他の光磁気記録再生装置の構成は、（実施例５）と同じである。
【実施例９】
【００２８】
（実施例５）に用いる光磁気ディスク５１を、ディスク・カートリッジにいれて使用する場合の実施例を、図１０に示す。図１０のディスク・カートリッジ８２のケース内に光磁気ディスク５１が入っている（図示しない）。ディスク・カートリッジ８２は使用しない時は、光磁気ヘッド挿入口、及びドライブモーター駆動軸スピンドル口は、シャッター８３によって密封されている。記録再生装置にに挿入して使用すると、記録再生装置内の突起８６９によって、シャッター・スライダー８５が駆動されてシャッター８３が開く。その後スイング・アーム５６が回転駆動して、スイング・アーム５６の先端の光磁気ヘッドが、ディスク・カートリッジ８２のケース内の光磁気ディスク５１面上を、光磁気ディスク５１面に平行方向に扇状に移動しながらアクセスする。
【実施例１０】
【００２９】
図１１にリニア・モータ移動式の光磁気ヘッド９１についての実施例を示す。光磁気記録再生装置内に設置される、リニア・モータ９４移動案内レール９３を装備した、アーム９５の上を光磁気ヘッド駆動体９２がスライド移動を行いながら、光磁気ディスク５１面に平行方向９６へ、直線的に移動しながらアクセスする。光学系は図４及び図６に記載した固定光学系と可動光学系を一体に纏めたもの、或いは光学系１及び光学系２を一体に纏めたものを、図１１の固定光学系９０に固定設置する。固定光学系９０と光磁気ヘッド９１の駆動体９２間のレーザ・ビームの送信、受信は光磁気ヘッド９１の窓口９７によって行う。光磁気ヘッド９１は、ミラー６９、対物レンズ７１、及び固体イマージョン・レンズ７２の系統の光学系の部分と、ヘッド浮上用スライダー１４、及び環状コイルを有する薄膜磁気コイルを用いる磁気ヘッド部分とが設置固定されている。個体イマージョン・レンズ７２、及び環状コイルを有する薄膜磁気コイルはヘッド浮上用スライダー１４に設置されている。
【実施例１１】
【００３０】
図１３に本発明に従う浮上型光磁気ヘッドの第１１の実施例を示す。図１３は光磁気ヘッドをスライダー１０２の長手方向に切断した際の断面図である。浮上型光磁気ヘッドはスライダー１０２に、光学素子としての固体イマージョンレンズ１００と外部磁界印加用の磁気コイル１０４とを備える。スライダー１０２には、固体イマージョンレンズ１００の外周とほぼ同径の貫通穴１０２ａが形成されており、貫通穴１０２ａに固体イマージョンレンズ１００が図１３に示すように勘合されている。固体イマージョンレンズ１００の光出射面１０２ａはスライダー底面と同一高さに位置する。磁気コイル１０４は固体イマージョンレンズ１００の外周１００bを包囲するようにスライダ１０２の貴通穴１０２aの上方に埋設されている。スライダ１０２は図示しない板バネ支持機構を介して光磁気記録再生装置本体のアクチュエータ（図示しない）に接続されている。かかる板バネ支持機構によりスライダ１０２の浮上時に固体イマージヨンレンス１００の出射面１００aが光磁気記録媒体５１と平行を成し且つ光磁気記録媒体５１とエバネッセント光の減衰距離以内に近接して浮上配置される。かかる構造において固体イマージョンレンス１００の上方から照射された記録用レーザ光は固体イマージョンレンズ１００を透過して光磁気記録媒体５１上に集光され、空気中の理論的な最小スポット径よりも小さなスポットを光磁気記録媒体５１上に形成する。この小さなスポットは液浸レンズと同じ原理により固体イマージヨンレンス１００に空気の屈折率より大きな屈折率nの部材を用い、且つ固体イマージヨンレンズ１００の中で集光するとき形成される。情報の記録時には、光磁気記録媒体５１に制御されたレーザ光照射タイミングと入力情報に応じた磁界印加タイミングによってレーザ光の照射と磁界コイル１０４による磁界印加が行われる。
【実施例１２】
【００３１】
図１４は図１３の浮上型光磁気ヘッドの団体イマージヨンレンズ１０１がスライダ１０２上に配置された場合を示す。図１３のスライダ１０２に固体イマージヨンレンズ１１０を搭載するため、スライダ１０２の固体イマージヨンレンズ１１０が設置される部分１０５はレーザ光を透過させるための部材、例えばガラスで形成されている。固体イマージョンレンズ１１０はレーザ光透過性部材１０６の外側のレンズ搭載部１０２bに固定される。磁気コイル１０４は（実施例１）の場合と同様にスライダ１０２内に内蔵されている。
【実施例１３】
【００３２】
図１５の浮上型光磁気ヘッドは、浮上型光磁気ヘッドのレーザ光透過性部材１０６の代わりに磁芯１０２cで構成されている。磁芯１０２cはレーザ光を透過し、保磁力が小さく、且つ飽和磁束密度の大きい材料から構成することが望ましく、例えば、透明フェライト、イットリウム鉄ガーネット、希土類鉄ガーネット等が好ましい。磁芯１０２cは、磁気コイル１０４から印加される外部磁界で容易に磁化されるので、磁束を固体イマージヨンレンズ１００の下方に収束させることができ、それによって、光磁気記録媒体１３０に印加する磁束制御が容易になる。
【実施例１４】
【００３３】
図１６に示す浮上型光磁気ヘッドは図１４に示した磁気コイルにおいて、磁気コイル１０４を固体イマージヨンレンズ１００の下方に組み込んだ構造を有する。磁気コイル１０４は固体イマージヨンレンス１００の出射光面１００aと接合されている。この構成において磁気コーイル１０４は固体イマージョンレンス１００から出射した光線束を遮断しない位置に配置する。この実施例においては、磁気コイル１０４は固体イマージヨンレンス１００の光出射面１００aより光磁気記録媒体１３０に近い位置に配置される。従って、磁気コイルはできるだけ薄い方が好ましい。例えば、図１７（a）のように環状コイルを有するフィルム状磁気コイル１３１０や図１７（b）のように方形状コイルを有するフィルム状の磁気コイル１３２を用いることが好ましい。
【実施例１５】
【００３４】
図１８は図１６の浮上型光磁気ヘッドのレーザ光の透過性部材１０６の部分上に磁芯１０２cを設けた光磁気ヘッドの構成を示す。図１８の浮上型光磁気へツドは固体イマージヨンレンズ１００と光磁気記録媒体１３０との間でしかも磁気コイル１０４の内側に磁芯１０２cを設ける。磁芯１０２cは図１５に示したと同様のレーザ光を透過する磁性材料で構成されている。かかる構成により浮上製型光磁気ヘッドは光磁気記録媒体１３０上でスポット径を小さくするとともに、光磁気記録媒体１３０に印加する磁界制御が安定に且つ容易になる。
【実施例１６】
【００３５】
さらに、図１９は図１７の浮上型光磁気ヘッドの構成において固体イマージヨンレンズ１００の少なくともー部をレーザ光の透過する磁性材料、例えば、透明フェライトで構成した場合を示している。固体イマージョンレンズ１００には照射されるレーザ光の出射面１００aに直交する中心近傍の部分１００cだけが磁性材料で形成される。この構成によれば、図１５または図１８の光磁気ヘッドにおいて磁芯１０２cが不要になる。かかる固体イマージヨンレンズ１００を用いることにより光磁気記録媒体１３０と磁気コイル１０４との間隔を狭めることができ、一層の外部磁界の位直決め精度が向上し光磁気ヘッドの構成を簡略化することができる。かかる固体イマージヨンレンズ１００は、最初にガラスを研磨加工して半球体ガラスの中心部に開口部が形成されたレンズ部品を成形し、次いで、かかる開口部に、スバッタ又は蒸着法等により磁性材料を充填させることにより形成することができる。
【実施例１７】
【００３６】
図２０は浮上型スライダーおを形成した固体イマージヨンレンズ１００を光磁気ヘッドに用いた、光磁気記録再生装置の実施例である。図２０には光磁気記録ディスク５１と光磁気ヘッド部全体が記載されている。対物レンズ７１は記載しない対物レンズ駆動装置に取り付けられており、対物レンズ駆動装置、固体イマージョンレンズ１００、スライダー１０２、磁気コイル１０４、及びミラー６９が一体になって、光磁気ヘッド部５３ｂを構成している。この光磁気ヘッド部５３ｂは、光磁気記録再生装置のスイング・アームの先端に設置固定される。実施例１７の光磁気ヘッド部はスライダ１０２の摺動面の一部及び固体イマージヨンレンズ１００の摺動面の各一部に切り欠き部１０２ｓ、１００ｓを形成したものを使用する。この切り欠き部１０２ｓ、１００ｓには光磁気ヘッド浮上のための浮上溝部が形成される。その他の光磁気記録再生装置の構成は（実施例５）、及び（実施例６）と同じ構成である。
【実施例１８】
【００３７】
図２１は光磁気記録再生装置のスイング・アーム５６の先端に設置固定される光磁気ヘッド部のスライダ１０２の摺動面に形成される、スイング・アーム光磁気ヘッド部の浮上のための、浮上溝の形状である。図２１にはスライダー１０２のスライダー断面１６１、テーパー部１６０、固体イマージヨンレンズ１００の設置位置を示す。その他の光磁気記録再生装置の構成は（実施例５）、及び（実施例６）と同じ構成である。
【図面の簡単な説明】
【００３８】
【図１】従来の光磁気記録再生装置ヘッド構成の断面図である。
【図２】従来の光磁気記録再生装置のヘッド構成の断面図である。
【図３】本発明に関する光磁気記録再生装置の実施例の平面図である。
【図４】本発明に関する光学系の実施例図である。
【図５】本発明に関する光磁気記録再生装置の実施例の平面図である。
【図６】本発明に関する光学系の実施例図である。
【図７】本発明に関する光磁気記録再生装置の実施例の側面図である。
【図８】本発明に関する光磁気記録再生装置の実施例の平面図である。
【図９】本発明に関する光磁気記録プリピットパターンの実施例図である。
【図１０】本発明に関する光磁気ディスク・カートリッジの実施例図である。
【図１１】本発明に関する光磁気記録再生装置の実施例の斜視図である。
【図１２】本発明にかかわる光磁気ヘッドに用いる光学素子の決増原理を説明する概念図である。
【図１３】図１２に示した光学素子に固体イマージヨンレンスを用いスライダー上に固体イマージョンレンズと磁気コイルとを備えた光磁気ヘッドの断面図であり、固体イマージヨンレンズと磁気コイルがスライダに内蔵された場合を示すである。
【図１４】図１２に示した固体イマージョンレンズがスライダーに搭載され磁気コイルがスライダに内蔵された光磁気ヘッドの断面図である。
【図１５】図１４に示した光磁気ヘッドにおいて固体イマージョンレンズの設置される部分にレーザ光を透過する磁性材料が配された場合の光磁気ヘッドの断面図である。
【図１６】図１４に示した光磁気ヘッドに固体イマージョンレンズの出射光面と接合させた磁気コイルが光記録媒体の間に配された光磁気ヘッドの断面図である。
【図１７】光磁ヘッドに用いるフィルム状の磁気コイルの外視斜視図である。
【図１８】図１６に示した光磁気ヘッドの固体イマージョンレンズの設置される部分にレーザ光を透過する磁芯が配された光磁気へツドの断面図である。
【図１９】図１７に示した光磁気ヘッドにレーザ光を透過する磁芯が固体イマージョンレンズのレーザ光の出射面に直交する中心近傍に形成された光磁気ヘッドの断面図である。
【図２０】本発明の光磁気記録再生装置が備える光磁気ヘッドの実施例の断面図である。
【図２１】本発明の光磁気記録再生装置が備える光磁気ヘッドのスライダー実施例の平面図である。
【符号の説明】
【００３９】
５１、１３０    光磁気ディスク
５６、７３    スイング・アーム
５３ｂ    光磁気ヘッド部
６９    ミラー
７１    対物レンズ
７１、１００    固体イマージョン・レンズ
１４、１４a、１０２    スライダー
２１、１０４、１３１、１３２    磁気コイル
１０１    光学素子
１０３    記録媒体
【図１】
2004158189.tif 000003
【図２】
2004158189.tif 000004
【図３】
2004158189.tif 000005
【図４】
2004158189.tif 000006
【図５】
2004158189.tif 000007
【図６】
2004158189.tif 000008
【図７】
2004158189.tif 000009
【図８】
2004158189.tif 000010
【図９】
2004158189.tif 000011
【図１０】
2004158189.tif 000012
【図１１】
2004158189.tif 000013
【図１２】
2004158189.tif 000014
【図１３】
2004158189.tif 000015
【図１４】
2004158189.tif 000016
【図１５】
2004158189.tif 000017
【図１６】
2004158189.tif 000018
【図１７】
2004158189.tif 000019
【図１８】
2004158189.tif 000020
【図１９】
2004158189.tif 000021
【図２０】
2004158189.tif 000022
【図２１】
2004158189.tif 000023